(57)【要約】【課題】浴槽や洗い場の窮屈感をまねくことなく、浴槽に対して２方向からの移乗入浴を可能にした浴室ユニットを提供する。【解決手段】内槽と、内槽の上縁部のまわりに設けられた浴槽リムとを有する浴槽と、浴槽リムと略同じ高さに設けられた浴室カウンターとを備え、浴槽リムにおいて内槽の長手方向の両端部にそれぞれ設けられた短辺リムのうち一方は、他方よりも短辺側の幅が大きく着座可能となっており、浴室カウンターは他方の短辺リム近傍の洗い場に設けられ、浴室カウンターに着座した着座者が着座状態で内槽に脚を出し入れ可能である。【選択図】図１
2008154997.tif 000002
【特許請求の範囲】
【請求項１】
内槽と、前記内槽の上縁部のまわりに設けられた浴槽リムと、を有する浴槽と、
前記浴槽リムと略同じ高さに設けられた浴室カウンターと、
を備え、
前記浴槽リムにおいて前記内槽の長手方向の両端部にそれぞれ設けられた短辺リムのうち一方は、他方よりも短辺側の幅が大きく着座可能となっており、
前記浴室カウンターは前記他方の短辺リム近傍の洗い場に設けられ、前記浴室カウンターに着座した着座者が着座状態で前記内槽に脚を出し入れ可能であることを特徴とする浴室ユニット。
【請求項２】
前記短辺リムにおける幅が大きい側の内槽の形状は、コーナー部を除いて直線状に形成されていることを特徴とする請求項１記載の浴室ユニット。
【請求項３】
前記短辺リムの幅が大きい側の浴室壁面には、風呂蓋を立て掛けた状態で保持可能とする風呂蓋フックが取り付けられ、
前記風呂蓋フックに前記風呂蓋を保持した状態において、前記短辺リムの幅が大きい側の前記内槽と前記風呂蓋との間の幅は、他方の短辺リムよりも幅が大きく形成され着座可能とされたことを特徴とする請求項１または２に記載の浴室ユニット。
【請求項４】
前記浴槽リムにおいて前記内槽の短手方向の両端部にそれぞれ設けられた長辺リムのうち、前記浴槽の洗い場とは反対側の長辺リム側に配置される浴室壁面には、横方向に長く形成された手すりが取り付けられ、
前記手すりは、前記短辺リムの幅が小さい側に寄せて取り付けられていることを特徴とする請求項１〜３のいずれか１つに記載の浴室ユニット。
【請求項５】
前記短辺リムの幅が大きい側に配置される浴室壁面の洗い場側に、手すりが取り付けられていることを特徴とする請求項１〜４のいずれか１つに記載の浴室ユニット。
【請求項６】
前記浴室カウンターにおいて、洗い場に臨む前端部の反対側の後端部が壁パネルに隣接していることを特徴とする請求項１〜５のいずれか１つに記載の浴室ユニット。
【発明の詳細な説明】
【技術分野】
【０００１】
本発明は、浴室にカウンターを備えた浴室ユニットに関する。
【背景技術】
【０００２】
例えば下肢が不自由な人が浴槽内に入る場合には、健常者のように立った状態で浴槽の縁をまたいで越えて入ることが困難なため、一旦浴槽リムの上に腰掛け、その腰掛けた状態で脚を浴槽の中に入れるようにしている。逆に、浴槽から出る場合にも、浴槽のリムに腰掛けてから脚を浴槽から出していた。また、一方の脚だけが不自由な場合には、浴槽リムに腰掛けた状態で不自由な脚が自由な脚よりも後から浴槽内に入るようにすれば、楽に入浴動作を行うことができる。この観点から、左右どちらの脚が不自由な場合でも、浴槽リムに腰掛けた状態で不自由な脚が浴槽から遠い側（洗い場側）に位置することができるように、浴槽に対して２方向から移乗入浴できる構成が望ましい。
【０００３】
特許文献１では、浴槽の長手方向両端に移乗台を設けているが、例えば集合住宅などでは浴槽設置スペースが限られており、浴槽の両端に人が腰掛けることができる広さを有する移乗台を設けるとなると浴槽内槽長さを縮めてしまい、入浴感を阻害してしまう。
【０００４】
また、特許文献２では、浴槽上端部外周に設けたカウンターにおける洗い場側の縁の両側部を中央部よりも洗い場側に突出させて、腰をおろすことができる広さを有する張り出し部を設けているが、この場合、洗い場が狭くなってしまう。
【特許文献１】特許第３３５７３２３号公報
【特許文献２】実公平６−４７９４号公報
【発明の開示】
【発明が解決しようとする課題】
【０００５】
本発明は、浴槽や洗い場の窮屈感をまねくことなく、浴槽に対して２方向からの移乗入浴を可能にした浴室ユニットを提供する。
【課題を解決するための手段】
【０００６】
本発明の一態様によれば、内槽と、前記内槽の上縁部のまわりに設けられた浴槽リムと、を有する浴槽と、前記浴槽リムと略同じ高さに設けられた浴室カウンターと、を備え、前記浴槽リムにおいて前記内槽の長手方向の両端部にそれぞれ設けられた短辺リムのうち一方は、他方よりも短辺側の幅が大きく着座可能となっており、前記浴室カウンターは前記他方の短辺リム近傍の洗い場に設けられ、前記浴室カウンターに着座した着座者が着座状態で前記内槽に脚を出し入れ可能であることを特徴とする浴室ユニットが提供される。
【発明の効果】
【０００７】
本発明によれば、浴槽や洗い場の窮屈感をまねくことなく、浴槽に対して２方向からの移乗入浴を可能にした浴室ユニットが提供される。
【発明を実施するための最良の形態】
【０００８】
以下、図面を参照し、本発明の実施形態について説明する。
【０００９】
図１は、本発明の実施形態に係る浴室ユニットにおける浴室内の斜視図である。
【００１０】
本実施形態に係る浴室ユニットは、主として、浴槽１と、洗い場（床）２と、浴室カウンター７０と、棚付き水栓４とを備える。これらは、壁パネル５、６、７、８（壁パネル８は図１０に図示）及びドアＤＲによって画設された浴室内に配設されている。なお、壁パネルの一部に窓を設けてもよい。
【００１１】
浴槽１は、内槽１１と、この内槽１１の上縁部のまわりに設けられた浴槽リム１２とを有する。浴槽１は、ドアＤＲから見て浴室の奥側に配設され、ドアＤＲに対向する奥側の壁パネル５に隣接している。あるいは、壁パネル５は、浴槽１における奥側の上縁部の上に立設されてもよい。ドアＤＲの横には、浴槽１及び洗い場２を挟んで壁パネル５に対して略平行に対向する壁パネル７が設けられている。浴室出入口及びドアＤＲは、浴槽１の横であって、壁パネル６に向き合う位置に設けてもよい。
【００１２】
浴槽１は、その長辺方向が、壁パネル５、７に対して略平行になる向きで配置されている。浴槽１の手前側に、洗い場床２が浴槽１に隣接して配設されている。
【００１３】
浴槽リム１２は、内槽１１の上縁部から外側に張り出して設けられている。浴槽リム１２において内槽１１の長手方向の両端部にそれぞれ設けられた短辺リム１２ａ、１２ｂのうち一方の短辺リム１２ａは、他方の短辺リム１２ｂよりも短辺側の幅が大きく、この短辺リム１２ａの上に着座可能となっている。この短辺リム１２ａの短辺側の幅ｂは、例えば３０５（ｍｍ）であり、他方の短辺リム１２ｂの短辺側の幅ｃは、例えば２００（ｍｍ）である。内槽１１の長手方向寸法ａは、例えば１１４５（ｍｍ）である。
【００１４】
図３３は、本発明の実施形態に係る浴室ユニットにおける浴室内の平面図である。
図３３に示すように、短辺リム１２ａ側には風呂蓋フック７００によって割り風呂蓋７１０が立て掛けて収納されることになるが、短辺リム１２ａ側の浴槽の内槽と風呂蓋フック７００の先端との幅ｅは例えば２５５（ｍｍ）となり、風呂蓋７１０が収納された状態においても、他方の短辺リム１２ｂの短辺側の幅ｃよりも短辺リム１２ａ側の浴槽の内槽と風呂蓋フック７００の先端との幅ｅが大きくなるように設計されている。つまり、風呂蓋７１０は風呂蓋フック７００の先端より壁側に配置されることになり、使用者の短辺リム１２ａ側の着座スペースの幅は必ず例えば２５５（ｍｍ）〜３０５（ｍｍ）は確保される。
【００１５】
幅が狭い短辺リム１２ｂにおけるその外側の長辺縁部は、浴槽１側及び洗い場２側で共通な（一体な）壁パネル６に隣接している。あるいは、短辺リム１２ｂの外側の長辺縁部の上に立設される壁パネルと、この壁パネルに対してジョイナーを介して隣接する洗い場床側の壁パネルとを別体で設けてもよい。壁パネル６は、コーナージョイナーを介して、壁パネル７に対して略直角につながっている。幅が広い短辺リム１２ａにおけるその外側の長辺縁部は、図１０に表すように、壁パネル６に対して略平行に対向する壁パネル８に隣接している。
【００１６】
壁パネル６と壁パネル７とのコーナー部には、例えば平面輪郭形状が直角台形状の棚付き水栓４が設けられている。  
図２は、棚付き水栓４の拡大斜視図である。
【００１７】
棚付き水栓４は、互いに平行な一対の対辺部１３、１４と、これら対辺部１３、１４の一端側に設けられ、対辺部１３、１４に対して略直角につながる後端辺部１５と、対辺部１３、１４の他端側に設けられ、対辺部１３、１４に対して傾斜してつながる斜辺部１６とを有する。
【００１８】
一対の対辺部１３、１４のうち長辺側の対辺部１３は壁パネル７に隣接し、後端辺部１５は壁パネル６に隣接している。すなわち、棚付き水栓４は、その長辺側の対辺部１３及び後端辺部１５を壁パネル７から壁パネル６にかけてのコーナー面に沿わせて両壁パネル６、７に取り付けられている。長辺側の対辺部１３は、短辺側の対辺部１４よりも長い。なお、棚付き水栓４の上方における壁パネル７の壁面に鏡を設けてもよい。
【００１９】
棚付き水栓４の下面には、図示しないカラン用湯水供給口に接続されたカラン１７が取り付けられている。なお、カラン１７を設けずに、棚付き水栓４の下面に形成した吐水口から湯水が吐水されるようにしてもよい。また、棚付き水栓４の下面には、シャワー用湯水供給口が形成され、そのシャワー用湯水供給口には、シャワーホース２１の一端が接続され、シャワーホース２１の他端はシャワーヘッド２２に接続されている。
【００２０】
壁パネル７において、ドアＤＲと棚付き水栓４との間の部分には、シャワーヘッド保持部３３が設けられている。シャワーヘッド保持部３３は、上下方向に延在して設けられたバー部材３１と、このバー部材３１に対して上下動自在に係合し、シャワーヘッド２２を掛止することが可能なフック部３２とを有する。シャワーヘッド２２は、フック部３２に掛けられた状態でフック部３２ごとバー部材３１に沿って上下動可能となっている。また、バー部材３１は手すりも兼ねている。
【００２１】
斜辺部１６は、両壁パネル６、７に対して傾斜しつつ洗い場２に臨んで位置し、この斜辺部１６に水栓操作部２５が設けられている。水栓操作部２５は、具体的には、カラン開閉操作部２６と、シャワー開閉操作部２７とを有する。カラン開閉操作部２６は、斜辺部１６と短辺側の対辺部１４との間の角部近くに設けられ、カラン開閉操作部２６の横にシャワー開閉操作部２７が並んで設けられている。カラン１７とシャワーヘッド２２とは、水栓操作部２５が設けられた斜辺部１６を挟んで配置され、斜辺部１６においてカラン１７側にカラン開閉操作部２６が設けられ、シャワーヘッド２２側にシャワー開閉操作部２７が設けられている。
【００２２】
カラン開閉操作部２６は、下方に押し込まれることで、カラン用湯水供給口を開閉する。同様に、シャワー開閉操作部２７は、下方に押し込まれることで、シャワー用湯水供給口を開閉する。カラン開閉操作部２６の押圧面２６ａ及びシャワー開閉操作部２７の押圧面２７ａは、棚上面３４における斜辺部１６寄りの端に位置している。
【００２３】
棚付き水栓４の上面３４には、カラン１７やシャワーヘッド２２から吐水される湯水の温度を調整する温度調節ハンドル２８が設けられている。
【００２４】
浴室カウンター７０は、棚付き水栓４の下方における壁パネル７の壁面に隣接し、その部分から、浴槽１における幅が狭い短辺リム１２ｂ近傍に向けて延在して洗い場２に配設されている。浴室カウンター７０において、洗い場２側から見た後端部４２は壁パネル６の壁面に隣接し、その後端部４２から洗い場２側に略水平に突き出るようにして設けられている。
【００２５】
浴室カウンター７０の後端部４２は、浴槽１における短辺リム１２ｂの外側の長辺縁部の延長上に位置し、その後端部４２と、洗い場２側に臨む前端部４１との間の幅ｄは、短辺リム１２ｂの幅ｃより大きく、例えば４３０ｍｍである。
【００２６】
浴室カウンター７０は、強度や防水性などを考慮して、例えばＦＲＰ（Fiber Reinforced Plastic）からなるカウンター本体７５を備える。棚付き水栓４の下方におけるカウンター本体７５表面は洗面器置部４９として機能する。洗面器置部４９に洗面器を置いた状態でカラン１７の吐水口が洗面器に対向し、その吐水口から吐水される湯水を洗面器に供給することが可能となっている。
【００２７】
図３は、浴室カウンター７０の拡大斜視図である。
【００２８】
洗面器置部４９に隣接して、カウンター本体７５に一体に設けられた着座面７１、および着座面７１のまわりに着座面７１よりも低く形成された排水路７２ａ〜７２ｅが設けられている。
【００２９】
着座面７１は、浴槽リム１２上面と略同じ高さに設けられている。また、意匠性や、座ったときの感触等を向上させるため、ＦＲＰからなるカウンター本体７５とは異なる材料（例えばＡＢＳ樹脂材）を貼り付ける、あるいは埋め込むなどして着座面７１が構成される。
【００３０】
浴室カウンター７０の背後の壁パネル６は、着座面７１に着座した着座者の背もたれとして機能する。その壁パネル６において、着座者の背中が接触する部分には、着座面７１と同様例えばＡＢＳ樹脂からなる背もたれ部５２が設けられている。
【００３１】
カウンター本体７５と浴槽１との間における、浴槽リム１２の上面、着座面７１及び排水路７２ａ〜７２ｅよりも低く下がった位置に凹状の排水溝４７が設けられている。排水溝４７と浴槽１との間には、わずかな隙間が形成されている。排水溝４７の長さはカウンター本体７５の幅ｄと略同じもしくは短い。排水溝４７の幅は約４０ｍｍである。排水溝４７には、壁パネル６に隣接する後端部から洗い場２に臨む前端部に向かう方向に例えば１／５０の下り勾配がつけられている。
【００３２】
着座面７１と洗面器置部４９との間には、浴室カウンター７０の短手方向に沿って排水路７２ｄ、７２ｅが形成されている。排水路７２ｄ、７２ｅは、着座面７１及び洗面器置部４９よりも低い溝として形成されている。排水路７２ｄ、７２ｅには、壁パネル６側（後端側）から洗い場２側（前端側）に向かう方向に下り勾配がつけられ、また排水路７２ｅにおいて洗い場２側の前端は開放端となっているため、排水路７２ｄ、７２ｅに流れ込んだ湯水は洗い場２側に向けて流れ、洗い場２の床に落下する。
【００３３】
着座面７１を浴室カウンター７０の短手方向に２分割するように、浴室カウンター７０の長手方向に沿って排水路７２ａが形成されている。着座面７１の前端側には排水路７２ｂが形成され、着座面７１の後端側には排水路７２ｃが形成されている。排水路７２ｂ、７２ｃは、排水路７２ａに対して略平行に形成されている。排水路７２ａ〜７２ｃのそれぞれの一端（図３において右端）は排水路７２ｄ、７２ｅにつながっており、それぞれの他端（図３において左端）は排水溝４７につながっている。
【００３４】
排水路７２ａ、７２ｃは、排水路７２ｄ、７２ｅ側から排水溝４７側に向かう方向に下り勾配がつけられている。排水路７２ｂは、その長手方向の中央から排水路７２ｄ、７２ｅに向かう方向に下り勾配が付けられていると共に、その長手方向の中央から排水溝４７に向かう方向に下り勾配がつけられている。
【００３５】
排水路７２ａによって分割されたそれぞれの着座面７１において、排水路７２ｂ、７２ｃにそれぞれ最も近い部分は略同じ高さとなっており、その部分から排水路７２ａに向かいつつ且つ排水溝４７に向かう方向に下り勾配がつけられている。着座面７１において洗面器置部４９に最も近い部分には、排水路７２ａに向かって例えば１／３２の下り勾配がつけられ、排水溝４７に最も近い部分には、排水路７２ａに向かって例えば１／１６の下り勾配がつけられている。着座面７１において排水路７２ａに最も近い部分には、排水溝４７に向かって緩やかな（例えば１／１８０または１／９０の）下り勾配がつけられている。
【００３６】
浴室カウンター７０において着座者が着座する部分に、前述したような勾配をつけることで、排水路７２ａの溝幅それほど広く確保しなくても、また溝深さをそれほど深くしなくても、十分な排水性が得られる。したがって、排水路７２ａの溝幅を狭くできることで、着座者の臀部に違和感を与えにくくでき、また排水路７２ａを浅くできることで清掃性を向上させることができる。
【００３７】
本実施形態によれば、図９に表すように、浴室カウンター７０の着座面７１に腰掛けつつ、浴槽１に対して出入りすることができる。
【００３８】
浴槽１に入るときは、まず、洗い場２側を向いて浴室カウンター７０の着座面７１に腰掛けた後、体を浴槽１側に向けて、右手で短辺リム１２ｂ上方の壁パネル６壁面に取り付けられた手すり５６をつかみ、左手で浴室カウンター７０の前端部４１をつかんで体を支えつつ、右脚から順に両脚を内槽１１に入れた後、上半身を浴室カウンター７０の着座面７１上から内槽１１内に移乗させる。
【００３９】
浴槽１から出るときは、入るときと逆に、まず、上半身を内槽１１内から浴室カウンター７０に移乗させて着座面７１に腰掛けた後、左脚から順に両脚を内槽１１から出しつつ体を洗い場２側に向ける。
【００４０】
また、浴室カウンター７０が設けられた短辺リム１２ｂの反対側の短辺リム１２ａは、短辺リム１２ｂよりも幅が広く、人が腰掛けるのに十分な幅ｂ（例えば３０５ｍｍ）を有している。したがって、図１０に表すように、その短辺リム１２ａに腰掛けつつ、浴槽１に対して出入りすることができる。ここで、図３３に示すように短辺リム１２ａ側の浴室壁面８には風呂蓋７１０を立て掛けて収納するための風呂蓋フック７００が取り付け固定されている。実際、風呂蓋７１０が立て掛けられた状態で使用者は短辺リム１２ａに着座することになる。
【００４１】
浴槽１に入るときは、まず、洗い場２側を向いて短辺リム１２ａに腰掛けた後、体を浴槽１側に向けて、左手で壁パネル５壁面に取り付けられた手すり５７をつかんで体を支えつつ、左脚から順に両脚を内槽１１に入れた後、上半身を短辺リム１２ａ上から内槽１１内に移乗させる。この時、手すり５７は短辺リム１２ａよりも短辺リム１２ｂ側に寄った位置に取り付けされている（短辺リム１２ａ側の内槽端部と手すり５７の端部との間の空間スペースは、短辺リム１２ｂ側の内槽端部と手すり５７の他端部との間の空間スペースより大きくなるように配置されている）ため、手すり５７を掴みながら内槽に移乗する際に手すり５７と短辺リム１２ａとの間にスペースが十分に形成されているため移乗動作をスムーズに行うことができる。このスペースは、肘を浴槽リム１２に載せた状態で手すり５７を掴むことが可能となり、使用者は体をしっかりと支えることが可能となるため好ましい。この時、使用者は浴槽に端辺１２ｂ（壁面６）に対して正面を向くことになる。
【００４２】
浴槽１から出るときは、入るときと逆に、まず、上半身を内槽１１内から短辺リム１２ａに移乗させて短辺リム１２ａ上に腰掛けた後、右脚から順に両脚を内槽１１から出しつつ体を洗い場２側に向ける。この内槽１１内から短辺リム１２ａへの移乗の際にも、手すり５７は短辺リム１２ａよりも短辺リム１２ｂ側に寄った位置に取り付けされているため、手すりと短辺リム１２ａとの間にスペースが十分に形成されているため移乗動作をスムーズに行うことができる。このスペースは、楽に肘を浴槽リム１２に載せた状態で手すり５７を掴むことが可能となるため、使用者は体をしっかりと支えることが可能となるため好ましい。
【００４３】
なお、短辺リム１２ａ上面と内槽との境目となる境界部の形状は平面視でコーナー部を除いて略直線状に形成されている。つまり、使用者は洗い場から短辺リム１２ａに着座して、短辺リム１２ａから内槽１１内に移乗するために、使用者は短辺リム１２ａ上に臀部を載せた状態で水平移動する作業が生じる。このような際に、短辺リム１２ａ上面と内槽端部との境目となる境界部の形状は平面視でコーナー部を除いて略直線状（壁面８と平行）に形成されていることで、臀部を短辺リム１２ａに挟んだり、使用者が誤って内槽１１内に落下することを防止できる。
【００４４】
逆に、内槽１１から短辺リム１２ａに移乗し、洗い場に移動する際も短辺リム１２ａ上に臀部を載せた状態で移動する作業が生じるが、同じように臀部を短辺リム１２ａに挟んだり、使用者が誤って内槽１１内に落下することを防止できる。つまり、短辺リム１２ａ上面と内槽端部との境目となる境界部の形状が曲線状（壁面８と平行でない）の場合は、臀部と端辺リム１２ａが触れる面積が変わるため、臀部が挟まったり誤って落下してしまう恐れがあり、好ましくない。
【００４５】
例えば、体の左右のうち片側の半身が不自由または片側の半身に不自由な部分がある人が入浴する場合には、不自由な部分が左半身か右半身かによって、体の左右のどちら側を移乗動作する方向に向ければ安定して楽な移乗動作を行えるかが違ってくる。本実施形態では、その要求に応えるべく、浴槽と洗い場との間で移乗動作する方向が２方向確保されている。
【００４６】
図１１〜図１８は、例えば、左半身が不自由または左半身に不自由な部分（左脚や左手）がある人が、洗い場２から浴槽１に移乗し、浴槽１から洗い場２に移乗する一連の動作を表す模式図である。
【００４７】
まず、洗い場２側を向いて浴室カウンター７０の着座面７１に腰掛けた後、図１１に表すように、体を浴槽１側に向けて、右手で短辺リム１２ｂ上方の壁パネル６壁面に取り付けられた手すり５６をつかんで体を支えつつ、右脚を内槽１１に入れる。
【００４８】
そして、自由に動かせる右脚及び手すり５６をつかんだ右手を支えにしつつ、図１２に表すように、左脚を内槽１１に入れ、さらに上半身を浴室カウンター７０の着座面７１上から浴槽１側に移乗させて、短辺リム１２ｂと洗い場側の長辺リム１２ｃとの角部内側に腰掛ける。そして、右手で手すり５７をつかみつつ、図１３に表すように、体を内槽１１内にしずめる。
【００４９】
この時、手すり５７は短辺リム１２ａよりも短辺リム１２ｂ側に寄った位置に取り付けされているため、カウンター７０に着座した状態においても、楽に手すり５７を掴むことができる。上述した短辺リム１２ａの場合と異なり、短辺リム１２ｂ側から内槽に移乗する際、使用者はカウンター７０上に臀部を載せている状態であるため、浴槽に対して斜めに傾いた状態で内槽に移乗することなる。つまり、平面視で略垂直に配置されている壁面５と壁面６とのコーナーにおいて空間スペースが生じているため、短辺リム１２ｂに肘を着いた状態で手すり５７を楽な姿勢で掴むことが可能であり、使用者は体をしっかりと支えることができ、好ましい。
【００５０】
このように本実施例においては、手すり５７を短辺リム１２ａよりも短辺リム１２ｂ側に寄った位置に取り付けていたが、内槽から短辺リム１２ａへ移乗する際や、短辺リム１２ａから内槽へ移乗する際に手すり５７を掴んだ状態で手を動かすスペースを予め確保できれば、手すりは内槽の長辺に対して略中央に配置させても良い。この場合も、手すりは短辺リム１２ａの位置まで延設されないことが好ましい。
【００５１】
浴槽１から出るときは、まず、内槽１１の内壁面に取り付けられた手すり５８を右手でつかんで体を起こし、図１４に表すように、体を一旦洗い場２側に向け、さらに図１５に表すように、体を壁パネル６及び短辺リム１２ｂ側に向ける。すなわち、図１３と入浴姿勢を逆にする。
【００５２】
そして、図１６に表すように、右手で長辺リム１２ｃをつかんで体を起こして短辺リム１２ａに腰掛ける。短辺リム１２ａは、人が腰掛けるのに十分な幅ｂ（例えば３０５ｍｍ）を有するので、壁パネル６側を向いた状態で楽に安定して腰掛けることができる。すなわち、図１５に表す入浴姿勢から体を起こしてそのまま後に下がるだけでよい。
【００５３】
そして、図１７に表すように、壁パネル８に取り付けた手すり５９を右手でつかんで支えとしつつ、まず右脚を内槽１１から洗い場２に移乗させ、次いで、図１８に表すように、体を洗い場２側に向けつつ、左脚を内槽１１から洗い場２に移乗させる。
【００５４】
以上説明した一連の移乗動作においては、不自由な左半身または左脚や左手を体の支えに使うことなく、楽に移乗動作を行うことができる。
【００５５】
次に、図１９〜図２６は、例えば、右半身が不自由または右半身に不自由な部分（右脚や右手）がある人が、洗い場２から浴槽１に移乗し、浴槽１から洗い場２に移乗する一連の動作を表す模式図である。
【００５６】
まず、洗い場２側を向いて幅広の短辺リム１２ａに腰掛けた後、図１９に表すように、体を浴槽１側に向けて、左手で手すり５７をつかんで体を支えつつ、左脚を内槽１１に入れる。
【００５７】
そして、自由に動かせる左脚及び手すり５７をつかんだ左手を支えにしつつ、図２０に表すように、右脚を内槽１１に入れた後、図２１に表すように、体を内槽１１内にしずめる。
【００５８】
浴槽１から出るときは、まず、内槽１１の内壁面に取り付けられた手すり５８を左手でつかんで体を起こし、図２２に表すように、体を一旦洗い場２側に向け、さらに図２３に表すように、体を壁パネル８及び短辺リム１２ａ側に向ける。すなわち、図２１と入浴姿勢を逆にする。
【００５９】
そして、図２４に表すように、左手で長辺リム１２ｃをつかんで体を起こし、図２５に表すように、浴室カウンター７０の前端部４１を左手でつかんで支えとしつつ、腰を浴室カウンター７０の着座面７１上に移乗させ、さらに左脚を内槽１１から洗い場２に移乗させ、次いで、図２６に表すように、右脚を内槽１１から洗い場２に移乗させる。
【００６０】
この内槽から体を起こして臀部をカウンター７０上に移動させる際、使用者は短辺リム１２ｂに肘を置いた状態で手すり５７を掴んで立ち上がることができる。この際も使用者はカウンター７０上に臀部を載せている状態であるため、浴槽に対して斜めに傾いた状態でカウンター７０に移乗することなる（使用者は浴槽に端辺１２ａ（壁面８）に対して正面を向かない）。つまり、平面視で略垂直に配置されている壁面５と壁面６とのコーナーにおいて空間スペースが生じているため、短辺リム１２ｂに肘を着いた状態で手すりを楽な姿勢で掴むことが可能であり、使用者は体をしっかりと支えることができる。
【００６１】
以上説明した一連の移乗動作においては、不自由な右半身または右脚や右手を体の支えに使うことなく、楽に移乗動作を行うことができる。
【００６２】
前述したように、本実施形態によれば、左右どちらの半身が不自由であっても浴槽への出入りを楽にすべく、浴槽１の長手方向の両端側それぞれから浴槽１に対して出入りできるが、その移乗に際して人が腰掛けるのに十分な広さの短辺リムを片側にだけしか設けていないため、限られた浴槽設置スペース内で、浴槽両端に広いリム面を設ける場合に比べて、内槽１１の長手方向寸法ａの短縮を抑えることができる。この結果、窮屈な入浴感を与えず、快適な入浴が可能となる。
【００６３】
腰掛けるには狭い他方の短辺リム１２ｂ側には、浴室カウンター７０を設けているため、この浴室カウンター７０を使って前述したように他方の端部側からの内槽１１への出入りが可能となる。浴室カウンター７０は、洗い場２において壁パネル６側の端に設けられ、特許文献２のように、浴槽リムの両端部共が洗い場側に出っ張っていないため、洗い場の窮屈感も与えない。
【００６４】
浴室カウンター７０は、浴槽１に対する出入りに使うだけに限らない。浴室カウンター７０の着座面７１に着座した状態で、棚付き水栓４やシャワーヘッド２２を用いて、洗体や洗髪を行える。
【００６５】
前述したように、着座面７１には、浴室カウンター７０の短手方向中央に向かう方向に下り勾配がつけられているため、石鹸水などで着座面７１上がすべりやすくなっても、着座者は着座面７１上からずれ落ちることなく安定して腰掛けられる。
【００６６】
着座面７１の短手方向中央から洗い場２側の前端部に向けて上向き傾斜の勾配となっており、且つ浴室カウンター７０の前端部と着座面７１との間に排水路７２ｂが形成されているため、洗体や洗髪に使われ、汚れを洗い落とした湯水が浴室カウンター７０の前端部から落下して、着座者のふくらはぎや足にかかることによる不快感を抑制できる。
【００６７】
浴室カウンター７０上での洗体や洗髪により生じた、汚れを洗い流した湯水は、着座面７１より低い位置に形成された排水路７２ａ〜７２ｃに流れるので、汚れた湯水が着座面７１に着座した着座者の臀部周辺に滞留することを抑制でき、着座者に不快感を与えない。
【００６８】
排水路７２ａ〜７２ｃ内の湯水は、排水溝４７に向かって流れ、排水路７２ａ〜７２ｃより低い位置に形成された排水溝４７に流れ込む。排水溝４７は、洗い場２側に向かって下り勾配がつけられているため、排水溝４７に流れ込んだ湯水は、洗い場２側に向けて流れ、洗い場２の床に落下する。排水溝４７は、浴槽リム１２よりも低い位置に設けられているため、また排水溝４７は比較的広い幅（約４０ｍｍ）を有していることもあって、排水路７２ａ〜７２ｃを流れてきた汚水が内槽１１内に入り込むことがない。
【００６９】
排水溝４７から洗い場２の床に落下した排水は、その床面上につけられた排水勾配に沿って、浴槽１と洗い場２床との境界部近傍に設けられた排水口（図示省略）に流れ込み、浴室内から排水される。排水溝４７は着座面７１に対して横にずれた位置に設けられ、排水溝４７を流れた汚水の洗い場２床上への落下地点と、洗い場２の床に形成された排水口との間には、着座者の足が位置せず、着座者の足に汚水が触れることを回避できる。
【００７０】
排水溝４７は、狭いスリット状ではなく、比較的幅が広く且つ浅い凹状に設けられているため、清掃性が良く、また手が挟まれることもない。また、排水溝４７は、上に出っ張っていない凹状であるため、着座面７１から浴槽１に移乗もしくは浴槽１から着座面７１に移乗するとき、排水溝４７は障害物とならず違和感なく円滑に移乗できる。
【００７１】
洗面器置部４９と着座面７１との間には、それら洗面器置部４９及び着座面７１より低い位置に形成された溝として排水路７２ｄ、７２ｅが設けられており、排水路７２ｄ、７２ｅに流れ込んだ湯水は、洗い場２側に向けて流れ、洗い場２の床に落下する。したがって、洗面器置部４９上で洗面器からあふれた汚水（洗面器内でタオルを洗ったり、顔を洗ったりしたときに生じる湯水）が着座面７１に流れ込まず、着座者に不快感を与えない。
【００７２】
浴室カウンター７０上の湯水は、浴室カウンター７０と浴槽１との境界に設けた排水溝４７以外にも、洗面器置部４９と着座面７１との間に設けた排水路７２ｅを介しても、洗い場２の床上に落下させ浴室カウンター７０上から排水することができる。これにより、排水路７２ｂ、７２ｃ、７２ｄの溝深さをそれほど深くしなくても、それら排水路７２ｂ、７２ｃ、７２ｄから湯水をあふれさせることなく、十分な排水性能を確保できる。排水路７２ｂ、７２ｃ、７２ｄの溝深さを浅くできることで、それら排水路７２ｂ、７２ｃ、７２ｄの清掃性が良くなる。
【００７３】
次に、図２７は、本発明の実施形態に係る浴室カウンターの前端部近傍の断面図である。
【００７４】
この浴室カウンターは、上本体６１と下本体６２とを組み合わせて構成される。上本体６１の上面に、着座面と洗面器置部が設けられる。上本体６１の前端部６１ａは下方に屈曲して断面Ｌ字状になっている。その上本体６１の前端部６１ａに対して下側から、下本体６２の前端部６２ａが係合している。上本体６１の前端部６１ａ及び下本体６２の前端部６２ａによって把持部４１が構成される。
【００７５】
把持部４１は洗い場に臨み、洗い場側を向いて着座面に着座した着座者が、把持部４１の裏面に指先をまわり込ませて把持部４１を包むように握ることができる。着座者が洗い場側を向いて着座面に着座した状態で、把持部４１を握りやすくするために、把持部４１の厚さＡは、例えば３０ｍｍ以上５５ｍｍ以下に設計される。
【００７６】
把持部４１は、例えば図２９に表すように、着座面７１上から浴槽１に移乗入浴する際に、着座面７１上を浴槽１に向けて移動するときに利用することができる。着座者は、洗い場２側を向いて着座面７１に腰掛けた状態で把持部４１を握って腰を少し浮かせて、浴室カウンター７０上を横移動することができる。着座者は、体をひねらせるなど無理な姿勢をとることなく、洗い場２側を向いて浴室カウンター７０に腰掛けた姿勢で自然に把持部４１を握れるため、前述した移乗時の横移動を楽に行える。
【００７７】
また、図３０に表す着座した状態から把持部４１を握って図３１に表すように腰を浮かせて立ち上がる動作の際に、把持部４１を使うこともできる。
【００７８】
また、図３２に表すように、浴室カウンター７０において洗面器置部４９寄りの着座面７１に座った状態で、壁パネル７に保持されたシャワーヘッド２２に左手を伸ばす動作の際に、右手で把持部４１をつかんで体の支えとすることもできる。
【００７９】
図２８は、浴室カウンター７０の把持部４１の他の具体例を表す模式図である。
【００８０】
浴室カウンター７０のカウンター本体７５において、洗い場に臨む前端部は把持部４１として機能し、洗い場側を向いて着座面に着座した着座者が、把持部４１の裏面に指先をまわり込ませて把持部４１を包むように握ることができる。着座者が洗い場側を向いて着座面に着座した状態で、把持部４１を握りやすくするために、把持部４１の厚さＡは、例えば３０ｍｍ以上５５ｍｍ以下に設計される。
【００８１】
また、把持部４１の裏面における着座者の指先がかかる部分には、浴室カウンター７０の長手方向に沿って延在する凹部４１ａが形成されている。把持部４１の前端面から凹部４１ａの中央までの距離Ｂは、例えば２０〜４０ｍｍである。浴室カウンター７０の上面（着座面）から凹部４１ａまでの距離（厚さ）Ｃは、例えば５〜２０ｍｍである。このような凹部４１ａを把持部４１の裏面に形成することで、着座者が把持部４１を握ったときに凹部４１ａに指先がかかるのでしっかりと握ることができる。
【００８２】
なお、洗い場２側の長辺リム１２ｃ上面と、洗い場床２と、の間に鉛直方向に配置される側面板部（例えばバスエプロン）にも把持部４１と同様に指先をまわり込ませて包むように握ることが可能な図示しない把持部を設けても良い。この側面板部に形成された把持部はカウンター７０の前端部４１近傍から短辺リム１２ａまで略水平方向に形成されており、カウンター７０に形成された把持部４１と連通するように配置されることが好ましい。このように側面板部に形成された把持部と、カウンター７０に形成された把持部４１と、が浴槽の長辺とカウンター７０の前端部４１とに形成されることで、上面視で略Ｌ字状となり使用者は把持部を掴みながらの移乗がし易くなる。
【００８３】
次に、図４〜８を参照して、浴室カウンターの他の具体例について説明する。
【００８４】
図４は、本具体例の浴室カウンター３における着座面の拡大斜視図である。  
図５は、浴室カウンター３と浴槽１との境界部分の拡大斜視図である。  
図６は、図５においてすのこを取り外した状態を表す。  
図７は、浴室カウンター３と浴槽１との境界部分の断面図である。  
図８は、カウンター本体４３における浴槽１側の端部を浴槽１側から見た斜視図である。
【００８５】
浴室カウンター３のカウンター本体４３において、洗面器置部４９に隣接する部分と、排水溝４７との間の部分には凹部が設けられ、その凹部に、すのこ４４が着脱自在に嵌め込まれている。
【００８６】
図６に表すように、凹部４８には、排水路５１が形成されている。すのこ４４は、浴室カウンター３の短手方向に２分割された２つのすのこ４５、４６からなる。それぞれのすのこ４５、４６の縁部には、裏面側に突出するリブ状の側壁５２（図８参照）が一体に設けられ、その側壁５２下端を、凹部４８底面に部分的に設けられた凸部上に載置することで、排水路５１とすのこ４４裏面との間に排水のための空間が確保される。
【００８７】
すのこ４４の上面は着座面として機能し、すのこ４４が凹部４８に嵌めこまれた状態で、その着座面は、凹部４８周辺のカウンター本体４３上面と略面一になり、着座部分には凹凸が形成されない。また、着座面は、洗面器置部４９上面と略面一である。着座面は、浴槽リム１２上面と略同じ高さに設けられている。すのこ４４は、例えばＦＲＰからなるカウンター本体４３とは異なる材料である例えばＡＢＳ樹脂などからなる。
【００８８】
カウンター本体４３と浴槽１との間には、浴槽リム１２の上面及び着座面よりもくぼんだ凹状の排水溝４７が設けられている。図７に表すように、排水溝４７は、バスエプロン５４との間にわずかな隙間を形成してバスエプロン５４に対向している。排水溝４７の長さはカウンター本体４３の幅ｄと略同じもしくは短い。排水溝４７の幅は約４０ｍｍである。排水溝４７には、壁パネル６に隣接する後端部から洗い場２に臨む前端部に向かう方向に例えば１／５０の下り勾配がつけられている。
【００８９】
図６に表すように、排水溝４７側の凹部４８側壁の一部には、排水路５１と排水溝４７とをつなげる連通路５３が形成されている。排水路５１には、排水溝４７に向かう方向に例えば１／１００の下り勾配がつけられている。
【００９０】
着座面には、カウンター前端部４１及び後端部４２のそれぞれから、２つのすのこ４５、４６の分割部分に向かう方向に例えば１／５０の下り勾配がつけられている。
【００９１】
本具体例の浴室カウンター３においても、その着座面は、浴室カウンター３の短手方向中央に向かって前端部側及び後端部側から下り勾配が付けられているため、着座者は着座面上に安定して腰掛けられる。
【００９２】
浴室カウンター３上での洗体や洗髪により生じた、汚れを洗い流した湯水は、すのこ４５、４６上面（着座面）の上記勾配により、２つのすのこ４５、４６間の隙間（約５ｍｍ）に流れ、あるいはすのこ４５、４６とカウンター本体４３との隙間に流れ、それら隙間から、すのこ４５、４６が嵌め込まれた凹部４８（図６）に落ちる。このため、汚れた湯水が着座者の臀部周辺に滞留することを抑制でき、着座者に不快感を与えない。
【００９３】
凹部４８に落下した汚水は、その凹部４８に形成され、排水溝４７に向かう方向に下り勾配がつけられている排水路５１を排水溝４７に向けて流れ、連通路５３を通って排水溝４７に流れ込む。排水溝４７に流れ込んだ汚水は、洗い場２側に向かって流れ、洗い場２の床に落下する。
【００９４】
また、カウンター７０と洗い場２（床パン）は必ずしも別体である必要はなく、一体としてもよい。こうすることで、カウンターの支持材を省略化できることによるコスト削減効果と施工性の向上とが可能となる。
【図面の簡単な説明】
【００９５】
【図１】本発明の実施形態に係る浴室ユニットにおける浴室内の斜視図である。
【図２】本発明の実施形態に係る浴室ユニットにおける棚付き水栓の拡大斜視図である。
【図３】本発明の実施形態に係る浴室ユニットにおける浴室カウンターの拡大斜視図である。
【図４】本発明の実施形態に係る浴室ユニットにおいて他の具体例の浴室カウンターの着座面の拡大斜視図である。
【図５】図４に表す浴室カウンターと浴槽との境界部分の拡大斜視図である。
【図６】図５においてすのこを取り外した状態を表す。
【図７】図４に表す浴室カウンターと浴槽との境界部分の断面図である。
【図８】図４に表す浴室カウンターにおけるカウンター本体の浴槽側の端部を浴槽側から見た斜視図である。
【図９】本発明の実施形態において、浴室カウンターを使った浴槽に対する出入りを説明するための模式図である。
【図１０】本発明の実施形態において、浴槽リムを使った浴槽に対する出入りを説明するための模式図である。
【図１１】左半身が不自由または左半身に不自由な部分（左脚や左手）がある人が、洗い場から浴槽に移乗し、浴槽から洗い場に移乗する一連の動作のひとつを表す模式図である。
【図１２】左半身が不自由または左半身に不自由な部分（左脚や左手）がある人が、洗い場から浴槽に移乗し、浴槽から洗い場に移乗する一連の動作のひとつを表す模式図である。
【図１３】左半身が不自由または左半身に不自由な部分（左脚や左手）がある人が、洗い場から浴槽に移乗し、浴槽から洗い場に移乗する一連の動作のひとつを表す模式図である。
【図１４】左半身が不自由または左半身に不自由な部分（左脚や左手）がある人が、洗い場から浴槽に移乗し、浴槽から洗い場に移乗する一連の動作のひとつを表す模式図である。
【図１５】左半身が不自由または左半身に不自由な部分（左脚や左手）がある人が、洗い場から浴槽に移乗し、浴槽から洗い場に移乗する一連の動作のひとつを表す模式図である。
【図１６】左半身が不自由または左半身に不自由な部分（左脚や左手）がある人が、洗い場から浴槽に移乗し、浴槽から洗い場に移乗する一連の動作のひとつを表す模式図である。
【図１７】左半身が不自由または左半身に不自由な部分（左脚や左手）がある人が、洗い場から浴槽に移乗し、浴槽から洗い場に移乗する一連の動作のひとつを表す模式図である。
【図１８】左半身が不自由または左半身に不自由な部分（左脚や左手）がある人が、洗い場から浴槽に移乗し、浴槽から洗い場に移乗する一連の動作のひとつを表す模式図である。
【図１９】右半身が不自由または右半身に不自由な部分（右脚や右手）がある人が、洗い場から浴槽に移乗し、浴槽から洗い場に移乗する一連の動作のひとつを表す模式図である。
【図２０】右半身が不自由または右半身に不自由な部分（右脚や右手）がある人が、洗い場から浴槽に移乗し、浴槽から洗い場に移乗する一連の動作のひとつを表す模式図である。
【図２１】右半身が不自由または右半身に不自由な部分（右脚や右手）がある人が、洗い場から浴槽に移乗し、浴槽から洗い場に移乗する一連の動作のひとつを表す模式図である。
【図２２】右半身が不自由または右半身に不自由な部分（右脚や右手）がある人が、洗い場から浴槽に移乗し、浴槽から洗い場に移乗する一連の動作のひとつを表す模式図である。
【図２３】右半身が不自由または右半身に不自由な部分（右脚や右手）がある人が、洗い場から浴槽に移乗し、浴槽から洗い場に移乗する一連の動作のひとつを表す模式図である。
【図２４】右半身が不自由または右半身に不自由な部分（右脚や右手）がある人が、洗い場から浴槽に移乗し、浴槽から洗い場に移乗する一連の動作のひとつを表す模式図である。
【図２５】右半身が不自由または右半身に不自由な部分（右脚や右手）がある人が、洗い場から浴槽に移乗し、浴槽から洗い場に移乗する一連の動作のひとつを表す模式図である。
【図２６】右半身が不自由または右半身に不自由な部分（右脚や右手）がある人が、洗い場から浴槽に移乗し、浴槽から洗い場に移乗する一連の動作のひとつを表す模式図である。
【図２７】本発明の実施形態に係る浴室ユニットにおける浴室カウンターの前端部近傍の断面図である。
【図２８】本発明の実施形態において、他の具体例にかかる浴室カウンターの前端部近傍の断面図である。
【図２９】本発明の実施形態において、浴室カウンター上を横移動するときの動作を表す模式図である。
【図３０】本発明の実施形態において、浴室カウンター上に着座した状態を表す模式図である。
【図３１】図３０の状態から立ち上がる動作を表す模式図である。
【図３２】本発明の実施形態において、浴室カウンターに腰掛けた状態からシャワーヘッドに手を伸ばす動作を表す模式図である。
【図３３】本発明の実施形態に係る浴室ユニットにおける浴室内の平面図である。
【符号の説明】
【００９６】
１…浴槽、２…洗い場、３，７０…浴室カウンター、４…棚付き水栓、１１…内槽、１２…浴槽リム、２５…水栓操作部、４４…すのこ、４７…排水溝、４８…凹部、４９…洗面器置部、５１…排水路、７１…着座面、７２ａ〜７２ｅ…排水路
【図１】
2008154997.tif 000003
【図２】
2008154997.tif 000004
【図３】
2008154997.tif 000005
【図４】
2008154997.tif 000006
【図５】
2008154997.tif 000007
【図６】
2008154997.tif 000008
【図７】
2008154997.tif 000009
【図８】
2008154997.tif 000010
【図９】
2008154997.tif 000011
【図１０】
2008154997.tif 000012
【図１１】
2008154997.tif 000013
【図１２】
2008154997.tif 000014
【図１３】
2008154997.tif 000015
【図１４】
2008154997.tif 000016
【図１５】
2008154997.tif 000017
【図１６】
2008154997.tif 000018
【図１７】
2008154997.tif 000019
【図１８】
2008154997.tif 000020
【図１９】
2008154997.tif 000021
【図２０】
2008154997.tif 000022
【図２１】
2008154997.tif 000023
【図２２】
2008154997.tif 000024
【図２３】
2008154997.tif 000025
【図２４】
2008154997.tif 000026
【図２５】
2008154997.tif 000027
【図２６】
2008154997.tif 000028
【図２７】
2008154997.tif 000029
【図２８】
2008154997.tif 000030
【図２９】
2008154997.tif 000031
【図３０】
2008154997.tif 000032
【図３１】
2008154997.tif 000033
【図３２】
2008154997.tif 000034
【図３３】
2008154997.tif 000035
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
内槽と、前記内槽の上縁部のまわりに設けられた浴槽リムと、を有する浴槽と、
前記浴槽に隣接して配設され、前記浴槽リムと略同じ高さに設けられた浴室カウンターと、
を備え、
前記浴槽リムにおいて前記内槽の長手方向の両端部にそれぞれ設けられた短辺リムのうち一方は、他方よりも短辺側の幅が大きく着座可能となっており、
前記浴室カウンターは前記他方の短辺リム近傍の洗い場に設けられ、前記浴室カウンターに着座した着座者が着座状態で前記内槽に脚を出し入れ可能であり、
前記浴室カウンターの前端部に、前記洗い場の側を向いて前記浴室カウンターに着座した着座者が、指先を回り込ませて包むように握ることが可能な第１の把持部と、
前記浴槽の洗い場の側に位置する長辺リムの下方に位置するバスエプロンに、指先を回り込ませて包むように握ることが可能で、前記浴室カウンターの前端部近傍から前記一方の短辺リム側まで水平方向に形成された第２の把持部と、
をさらに備え、
前記第１の把持部と前記第２の把持部とは、連通するように配置されていることを特徴とする浴室ユニット。
【手続補正２】
【補正対象書類名】明細書
【補正対象項目名】０００６
【補正方法】変更
【補正の内容】
【０００６】
本発明の一態様によれば、内槽と、前記内槽の上縁部のまわりに設けられた浴槽リムと、を有する浴槽と、前記浴槽に隣接して配設され、前記浴槽リムと略同じ高さに設けられた浴室カウンターと、を備え、前記浴槽リムにおいて前記内槽の長手方向の両端部にそれぞれ設けられた短辺リムのうち一方は、他方よりも短辺側の幅が大きく着座可能となっており、前記浴室カウンターは前記他方の短辺リム近傍の洗い場に設けられ、前記浴室カウンターに着座した着座者が着座状態で前記内槽に脚を出し入れ可能であり、前記浴室カウンターの前端部に、前記洗い場の側を向いて前記浴室カウンターに着座した着座者が、指先を回り込ませて包むように握ることが可能な第１の把持部と、前記浴槽の洗い場の側に位置する長辺リムの下方に位置するバスエプロンに、指先を回り込ませて包むように握ることが可能で、前記浴室カウンターの前端部近傍から前記一方の短辺リム側まで水平方向に形成された第２の把持部と、をさらに備え、前記第１の把持部と前記第２の把持部とは、連通するように配置されていることを特徴とする浴室ユニットが提供される。